(57)【要約】【課題】トイレユニット内における防水パンの意匠性を向上させ、防水パン洗浄後の早期乾燥を実現し、洗浄後の早期再使用を可能とし、更には、キャビネット内におけるロータンク等からの漏水に対応することができるトイレユニットを提供することである。【解決手段】排水口と、排水口から排水が流入する排水トラップと、を備えた防水パンと、前記防水パンの上に給・排水管等を内蔵するキャビネットと、前記キャビネットの前面側に便器等の衛生器具が取付けられたトイレユニットにおいて、前記キャビネット内に前記排水口及び前記排水トラップを備えたことを特徴とするトイレユニット。【選択図】図１
2004108033.tif 000002
【特許請求の範囲】
【請求項１】
排水口と、排水口から排水が流入する排水トラップと、を備えた防水パンと、前記防水パンの上に給・排水管等を内蔵するキャビネットと、前記キャビネットの前面側に便器等の衛生器具が取付けられたトイレユニットにおいて、前記キャビネット内に前記排水口及び前記排水トラップを備えたことを特徴とするトイレユニット。
【請求項２】
前記キャビネット内には、便器を取付けるフレームが備えてあり、前記フレームが前記防水パンを固定する支持材と一体構造であることを特徴とする請求項１に記載のトイレユニット。
【請求項３】
前記キャビネット内に前記衛生器具への給水管を接続する給水コンセントを設けたことを特徴とする請求項１〜２に記載のトイレユニット。
【請求項４】
前記防水パンの近傍に前記衛生器具からの排水管を接続する排水ヘッダーを設けたことを特徴とする請求項１〜３に記載のトイレユニット。
【請求項５】
前記排水ヘッダーには、他室の設備器具からの排水管を接続したことを特徴とする請求項４に記載のトイレユニット。
【請求項６】
前記防水パンに除湿設備を設けたことを特徴とする請求項１〜５に記載のトイレユニット。
【請求項７】
前記除湿設備より排出された排水を前記防水パンまたは前記排水ヘッダーに流すようにしたことを特徴とする請求項６に記載のトイレユニット。
【請求項８】
排水口と、排水口から排水が流入する排水トラップと、を備えた防水パンと、前記防水パンの上に給・排水管等を内蔵するキャビネットと、前記キャビネットの前面側に便器等の衛生器具が取付けられたトイレユニットにおいて、前記防水パンの上方に空調設備を設けたことを特徴とするトイレユニット。
【請求項９】
前記空調設備は、温水洗浄便座の暖房又は乾燥機能を用いたことを特徴とする請求項８に記載のトイレユニット。
【請求項１０】
前記空調設備からの送風を前記キャビネット内に流入するようにしたことを特徴とする請求項８〜９に記載のトイレユニット。
【請求項１１】
前記防水パンは、表面に滑り止め用の凸部と、これら凸部の間に前記排水口に連続する流路が形成され、少なくとも該流路の上に水玉の表面張力を破壊する凹凸形状部が重ねて形成されていることを特徴とする請求項１〜１０に記載のトイレユニット。
【発明の詳細な説明】
【０００１】
【発明の属する技術分野】
本発明は、排水口と、排水口から排水が流入する排水トラップと、を備えた防水パンと、前記防水パンの上に給・排水管等を内蔵するキャビネットと、前記キャビネットの前面側に便器等の衛生器具が取付けられたトイレユニットにおいて、前記キャビネット内に前記排水口及び前記排水トラップを備えたことを特徴とするトイレユニットに関する。
【０００２】
【従来の技術】
従来、トイレユニットに床パンを利用したものが提案されている（例えば、特許文献１参照）。
図９に従来のトイレユニットの概略図を示す。
図９では、トイレユニット１００は、キャビネット２９内の図示しないフレームにて壁掛便器２２が設置されており、床面は、防水パン２１が設置されている。そして、壁掛便器２２の下方に排水口１９を設けている。また、排水トラップ１８は、排水口１９の最低レベル部に設けられている。このように構成されたトイレユニット１００においては、床が防水パン２１で構成されていることから水で丸洗いすることができる。また、洗浄排水は、排水口１９から速やかに排出される。また、排水口１９が、壁掛便器２２の下方に設けられているので、トイレ使用者には、ドア２４を空け、トイレ室に入室し、便器使用後、退出するまでの行為において視認されにくく、見栄えがよい。
【０００３】
しかしながら、排水口１９を便器の下方に設置したとしても意匠性としては、まだ十分ではなく、特に排水口１９にごみが堆積した場合には、かなり見栄えがよくないものとなる。また、防水パン２１を洗浄後には、早期に乾燥しないためにすぐに使用できない。更には、防水パン２１が壁掛便器２２後方のキャビネット２９内まで対応していないので、キャビネット２９内にて図示しないロータンク等からの漏水が発生した場合の対応が取れないという問題があった。
【０００４】
【特許文献１】
実公平６−２９２５６号公報（第１頁、第１図）
【０００５】
【発明が解決しようとする課題】
本発明は、上記課題を解決するためになされたものであり、トイレユニット内における防水パンの意匠性を向上させ、防水パン洗浄後の早期乾燥を実現し、洗浄後の早期再使用を可能とし、更には、キャビネット内におけるロータンク等からの漏水に対応することができるトイレユニットを提供することを目的とする。
【０００６】
【課題を解決するための手段および作用・効果】
上記課題を解決するためになされた請求項第１項記載の発明は、排水口と、排水口から排水が流入する排水トラップと、を備えた防水パンと、前記防水パンの上に給・排水管等を内蔵するキャビネットと、前記キャビネットの前面側に便器等の衛生器具が取付けられたトイレユニットにおいて、前記キャビネット内に前記排水口及び前記排水トラップを備えたことを特徴とするトイレユニットを提供する。
【０００７】
本発明によれば、排水口及び排水トラップをキャビネット内に設けたことにより意匠性が向上し、使用者は、排水口上面にごみ、埃等が堆積することによる不快感を抱くことなくトイレユニットを使用することが可能となる。また、これら堆積したごみ等はキャビネットに設けた点検口等により簡単に取り除くことができ、メンテンナンス性も良好である。また、キャビネット内に配置された給水管、ロータンク等に結露が発生した場合に通常は目視にて確認することができず、キャビネット内が腐ることを防止することができる。
【０００８】
上記課題を解決するためになされた請求項第２項記載の発明は、前記キャビネット内には、便器を取付けるフレームが備えてあり、前記フレームが前記防水パンを固定する支持材と一体構造であることを特徴とする請求項１に記載のトイレユニットを提供する。
【０００９】
本発明によれば、便器を固定するフレームと防水パンを固定する支持材を一体構造としたことにより施工性が大幅に向上する。また、防水パンの水溜り部にフレームを固定する必要がないためにフレームが錆びることを防止し、フレームの防水パンへの固定部からの漏水、破損等を防止することができる。
【００１０】
上記課題を解決するためになされた請求項第３項記載の発明は、前記キャビネット内に前記衛生器具への給水管を接続する給水コンセントを設けたことを特徴とする請求項１〜２に記載のトイレユニットを提供する。
【００１１】
本発明によれば、キャビネット内に給水コンセントを設けたことから便器、手洗器等への給水管の接続が容易となり、施工性が向上する。また、給水管接続部からの漏水が発生した場合、給水コンセントがキャビネット内に存在するために外観からの確認ができない。しかし、そのような場合においても防水パンが備えられていることから漏水を排水することができ、建築側への被害を防止することができる。また、キャビネット内に給水コンセントを設けていることからキャビネットの点検口によりメンテンナンス性も向上する。
【００１２】
上記課題を解決するためになされた請求項第４項記載の発明は、前記防水パンの近傍に前記衛生器具からの排水管を接続する排水ヘッダーを設けたことを特徴とする請求項１〜３に記載のトイレユニットを提供する。
【００１３】
本発明によれば、防水パンの近傍に排水ヘッダーを設けたことから便器、手洗器等からの排水管の接続が容易となり、施工性が向上する。また、排水管接続部からの漏水が発生した場合、排水ヘッダーがキャビネット内に存在する場合には、外観からの確認ができない。しかし、そのような場合においても防水パンが備えられていることから漏水を排水することができ、建築側への被害を防止することができる。また、キャビネット内に排水ヘッダーを設けていることからキャビネットの点検口によりメンテンナンス性も向上する。ここで、排水ヘッダーは、キャビネット内外、防水パンの下方にあってもよく、特に限定されるものではない。
【００１４】
上記課題を解決するためになされた請求項第５項記載の発明は、前記排水ヘッダーには、他室の設備器具からの排水管を接続したことを特徴とする請求項４に記載のトイレユニットを提供する。
【００１５】
本発明によれば、トイレユニットに隣接する洗面台、洗濯機等からの排水管を接続可能とすることから排水管を複数系統用意する必要がなく、施工性が向上する。また、各種設備器具の排水管を集約できることからメンテナンス性が向上する。更に、リフォーム等により水廻り器具の増減があった場合にも柔軟に対応することができる。
【００１６】
上記課題を解決するためになされた請求項第６項記載の発明は、前記防水パンに除湿設備を設けたことを特徴とする請求項１〜５に記載のトイレユニットを提供する。
【００１７】
本発明によれば、防水パンに除湿設備を設けたことから防水パンの床洗浄後の早期乾燥を可能とし、洗浄後の早期再使用が可能となる。また、キャビネット内の給水管、ロータンク等の結露水を早期に取り除き、キャビネット内の腐り、黴の発生を防止することが可能となる。
【００１８】
上記課題を解決するためになされた請求項第７項記載の発明は、前記除湿設備より排出された排水を前記防水パンまたは前記排水ヘッダーに流すようにしたことを特徴とする請求項６に記載のトイレユニットを提供する。
【００１９】
本発明によれば、除湿設備からの排水を防水パンまたは排水ヘッダーに流すようにしたことにより除湿設備用の排水管を別途建築側に設ける必要がないことから低コスト・省施工性を実現することができ、配管数、接続箇所を抑制することが可能となりメンテナンス性が向上する。
【００２０】
上記課題を解決するためになされた請求項第８項記載の発明は、排水口と、排水口から排水が流入する排水トラップと、を備えた防水パンと、前記防水パンの上に給・排水管等を内蔵するキャビネットと、前記キャビネットの前面側に便器等の衛生器具が取付けられたトイレユニットにおいて、前記防水パンの上方に空調設備を設けたことを特徴とするトイレユニットを提供する。
【００２１】
本発明によれば、高齢者、幼児等が便器使用時にそそうを行い、床面を水洗浄した後に防水パン上に残った水分を空調設備にて早期に乾燥させることができ、すぐに再使用可能とすることができる。
【００２２】
上記課題を解決するためになされた請求項第９項記載の発明は、前記空調設備は、温水洗浄便座の暖房又は乾燥機能を用いたことを特徴とする請求項８に記載のトイレユニットを提供する。
【００２３】
本発明によれば、既設の温水洗浄便座の機能を利用することから別途、空調設備を用意する必要がなく、施工費・設置場所等も含めたコストダウンが可能となる。
【００２４】
上記課題を解決するためになされた請求項第１０項記載の発明は、前記空調設備からの送風を前記キャビネット内に流入するようにしたことを特徴とする請求項８〜９に記載のトイレユニットを提供する。
【００２５】
本発明によれば、空調設備からの送風をキャビネット内に流入するようにしたことからキャビネット内における給水管、ロータンク等の結露を防止、又は早期に乾燥させることが可能となる。よって、特にキャビネット内における腐りや黴を防止することが可能となる。また、冬季においては、給水管、ロータンク内の凍結を防止することが可能となる。
【００２６】
上記課題を解決するためになされた請求項第１１項記載の発明は、前記防水パンは、表面に滑り止め用の凸部と、これら凸部の間に前記排水口に連続する流路が形成され、少なくとも該流路の上に水玉の表面張力を破壊する凹凸形状部が重ねて形成されていることを特徴とする請求項１〜１０に記載のトイレユニットを提供する。
【００２７】
本発明によれば、防水パンを水洗浄実施した後、防水パン上に残った水は、水玉の表面張力を破壊する凹凸形状部を水の流れに抗する方向に形成することで、流路内を流れる水の流速を抑制し、途中で水が途切れて島状に残ることがなくなり、より短時間で防水パンの乾燥が可能となり、洗浄後の早期再使用が可能となる。
【００２８】
【発明の実施の形態】
以下、本発明の実施の形態を図面に沿って詳細に説明する。なお、この発明は、それによって限定されるものではない。
【００２９】
【実施例１】
本発明に係わるトイレユニットの一実施例の概略構成図を図１に示す。
トイレユニット１００の構成について説明する。トイレユニット１００は、根太２７と、ドア２４を備えた四方の壁２５に囲まれており、根太２７の上には、防水パン２１を支持すると共に壁掛便器２２を固定する支持台とフレームの一体構造部２０が設置されている。ここで、支持台とフレームの一体構造部２０は、防水パン２１を固定する支持材と便器を取付けるフレームが一体構造としたものであり、支持材とフレームの境界は特にない。この支持台とフレームの一体構造部２０の上に高さ調整部２８が配置され、その高さ調整部２８の上に防水パン２１が固定されている。この防水パン２１には、水が流入する排水口１９が備えられ、その排水口１９の最低レベル部には、排水トラップ１８が設けられている。
【００３０】
また、その下流には、防水パン用排水管１７が接続され、更に防水パン２１の下方に設置された排水ヘッダー１５に排水管接続口１６を介して接続されている。排水ヘッダー１５には、外部への下水管へと導くための排水管１４が接続されており、更には、トイレユニット１００外の設備器具からの排水管１３も接続されている。排水ヘッダー１５は、自由な方向に排水管接続口１６が回転できるような構造であることが好ましい。そうすることにより建築物の構造、器具の配置、接続される配管条件等に柔軟に対応することが可能となり、施工性が向上する。また、図中では、排水ヘッダー１５を防水パン２１の下方に設置しているが、排水ヘッダー１５を防水パン２１上や壁２５裏に配置してもよく、特に限定されるものではない。
【００３１】
また、防水パン２１の表面形状は、排水口１９に向かって水が集水するように傾斜などをもった形状になっている。更に防水パン２１を支持するための高さ調整部２８を調整することによりより効果的に水を排水口１９に集水することが可能となり、トイレ室と廊下の床２３との段差を解消し、バリアフリーにも柔軟に対応することができる。また、この場合、防水パン２１から廊下の床２３へ水が流れないような構造にしておくことは言うまでもなく、ユニットバス等に用いられている構造を用いることが好ましい。
【００３２】
また、図示しない横壁、後ろ壁側は、防水パン２１を立上げておくような形状であることが好ましい。また、図中では、根太２７の上に支持台とフレームの一体構造部２０を設置しているが、大引きの上であってもよく、便器の使用上、建築構造物への支障がなければ特に限定されるものでないことは言うまでもない。また、防水パン２１は、図示しない分割構造であってもよく、更に図示しない点検口を備えていてもよい。そうすることにより防水パン２１の搬入・設置が行い易く、排水ヘッダー１５を防水パン２１の下方に配置する場合には、メンテナンス性・施工性が向上する。また、防水パン２１の上部に図示しない支持材を介して図示しない多数の開口部を備えた防水パンを配置する形態であってもよい。そうすことにより上部の防水パンを水洗浄した場合には、水は図示しない多数の開口部より下方の防水パン２１に早期に落下することから図示しない上部の防水パンは早期に乾燥し、再使用が早期に可能となる。また、落下した水は、下方の防水パン２１により排水口１９に排水されるために問題はない。
【００３３】
また、支持台とフレームの一体構造部２０は、一部キャビネット２９に内包され、前板３を介して壁掛便器２２が固定されている。図中では、壁掛便器２２を配置しているが、図示しない床置きの腰掛便器を用いてもよい。この場合には、腰掛便器は、壁排水の形態であっても床排水の形態であってもよい。便器は、防水パン２１上に設置されることから通常であれば便器の下方に流入した小便は、便器を外さない限り拭き取ることができないため床の変色、悪臭の発生が起こるが、防水パン２１上に設置されていることから水洗浄にて小便を洗い流すことができ、床の変色、悪臭の発生を防止することができる。
【００３４】
また、図中ではキャビネット２９の前に壁掛便器２２を設置しているが、図示しない洗面台等のトイレ室で使用するような衛生器具であれば何でもよいことは言うまでもない。また、便器からの排水管は、排水ヘッダー１５に接続することが好ましい。この場合、排水ヘッダー１５が防水パン２１上にないときは、壁排水では防水パン２１を迂回して排水ヘッダー１５と接続し、床排水の場合には、直接防水パン２１の下方にて接続することが好ましい。いずれにおいても図示しない便器固定部から漏水・破損等は、発生しないように対策しておくようにする。キャビネット２９の上部には、手洗器５が配置され、内部には、給水コンセント１０と、給水コンセント１０から手洗器５に接続される手洗器用給水管６と、手洗器５から排水ヘッダー１５に接続される手洗器用排水管７と、ロータンク４と、給水コンセント１０からロータンク４に接続されるロータンク用給水管８と、ロータンク４から壁掛便器２２に接続される便器用洗浄管２６と、壁掛便器２２から排水ヘッダー１５に接続される便器用排水管１２と、壁掛便器２２の上部に配置された温水洗浄便座１からの乾燥・暖房等の送風をキャビネット２９内に取り込む空調用送風管２が配置されている。ここで、前板３の下端は、防水パン２１と隙間を空けるようにすることが好ましい。そうすることにより防水パン２１洗浄後の水が留まることなく排水口１９へと排水することが可能となる。
【００３５】
また、温水洗浄便座１の暖房・乾燥機能を空調設備として代用している。また、給水コンセント１０には、給水源である図示しない給水本管より給水される給水管９が接続されており、給水管接続口１１は、自由な方向に回転できるような構造であることが好ましい。そうすることにより建築物の構造、器具の配置、配管条件等に柔軟に対応することが可能となり、施工性が向上する。また、接続方式は、ワンタッチ接続方式であることが望ましく、接続される給水管は、柔軟性のある可撓性配管であることが好ましい。可撓性配管としては、ポリブテン、架橋ポリエチレン、ポリエチレン、軟質塩化ビニル、繊維強化ポリエチレン等の樹脂管や銅管等の金属管が適宜用いられてもよい。また、給水コンセント１０は、図中では、支持台とフレームの一体構造部２０に固定されているが、壁２５に設置されてもよく、特に限定されるものではない。
【００３６】
次に本発明に係わる詳細について説明する。
排水口１９及び排水トラップは、キャビネット２９内の防水パン２１に配置されるようにしている。そうすることにより意匠性が向上し、使用者は、排水口１９上面にごみ、埃等が堆積することによる不快感を抱くことなくトイレユニットを使用することが可能となる。また、これら堆積したごみ等はキャビネット２９に設けた図示しない点検口等により簡単に取り除くことができ、メンテンナンス性も良好である。また、キャビネット２９内に配置されたロータンク用給水管８、ロータンク４等に結露が発生した場合には、通常は目視にて確認することができず、キャビネット２９内が腐ることを防止することができる。
【００３７】
また、上記のように前板３の下端と防水パン２１との間に隙間を設けた場合には、使用者によっては、意匠性が若干下がるという判断をする場合もある。そのような場合には、防水パン２１を図示しない前板３の手前から下げて段差部を設け、それに伴い前板３の下端を延長し、使用者が防水パン２１と前板３の下端との隙間がないように判断できるようにすることが好ましい。なお、その際に水が留まることなく排水口１９へ排水されるようにしておくことは言うまでもない。
【００３８】
防水パン２１を支持するとともに壁掛便器２２を固定するフレームを一体構造としたところの支持材とフレームの一体構造部２０を配置したことにより施工性が大幅に向上する。また、防水パン２１上面の水溜り部にフレームを固定する必要がないためにフレームが錆びることを防止し、フレームの防水パン２１への固定部からの漏水、破損等を防止することができる。また、図中では支持台とフレームの一体構造部２０は、後ろ壁側から廻り込むコの字形の形状をしているが、図示しない横壁側から廻り込むコの字形の形状であってもよく、防水パン２１を支持し、壁掛便器２２を実使用上問題なく固定できる形態であればどのような形状であってもよい。また、支持台とフレームの一体構造部２０の根太２７との固定は、ネジ、ボルト、接着材、釘等確実に固定できるものであれば何でもよく、簡単に脱着できる施工性のよいものが好ましい。
【００３９】
キャビネット２９内にロータンク４や手洗器５への給水管を接続する給水コンセント１０を配置したことによりロータンク４、手洗器５等への給水管の接続が容易となり、施工性が向上する。また、給水管接続部からの漏水が発生した場合、給水コンセント１０がキャビネット２９内に存在するために外観からの確認ができない。しかし、そのような場合においても防水パン２１が備えられていることから漏水を排水することができ、建築側への被害を防止することができる。また、キャビネット２９内に給水コンセント１０を設けていることから図示しないキャビネット２９の点検口によりメンテンナンス性も向上する。
【００４０】
防水パン２１の下方に壁掛便器２２や手洗器５からの排水管を接続する排水ヘッダー１５を配置したことにより便器、手洗器等からの排水管の接続が容易となり、施工性が向上する。また、排水管接続部からの漏水が発生した場合、排水ヘッダー１５を図示しないキャビネット２９内に設置した場合には、外観からの確認ができない。しかし、そのような場合においても防水パン２１が備えられていることから漏水を排水することができ、建築側への被害を防止することができる。また、キャビネット２９内に排水ヘッダー１５を設けていることからキャビネット２９の図示しない点検口によりメンテンナンス性も向上する。ここで、排水ヘッダー１５は、キャビネット２９の内外、防水パン２１の上下方等どこにあってもよく、特に限定されるものではない。
【００４１】
排水ヘッダー１５にトイレユニット外の設備器具からの排水管１３を接続していることからトイレユニット１００に隣接する洗面台、洗濯機等からの排水管を排水ヘッダー１５に接続することができ、別途建築側に排水管を複数系統用意する必要がなく、施工性が向上する。また、各種設備器具の排水管を集約できることからメンテナンス性が向上する。更に、リフォーム等により水廻り器具の増減があった場合にも柔軟に対応することができる。
【００４２】
防水パン２１の上方に配置される壁掛便器２２の上部に空調設備としての機能を有する温水洗浄便座１を配置し、この温水洗浄便座１の暖房又は乾燥機能等を利用し、その送風をキャビネット２９内に空調用送風管２を介して流入するようにしている。ここでは、既設の温水洗浄便座１の機能を利用することから別途、空調設備を用意する必要がなく、施工費等も含めたコストダウンが可能となる。また、温水洗浄便座１からの送風をキャビネット２９内に流入するようにしたことからキャビネット２９内におけるロータンク用給水管８、ロータンク４等の結露を防止、又は早期に乾燥させることが可能となる。よって、特にキャビネット２９内における腐りや黴を防止することが可能となる。
【００４３】
また、冬季においては、ロータンク用給水管８、ロータンク４内の凍結を防止することが可能となる。また、図示しない空調設備をキャビネット２９外に設けた場合、あるいは、空調用送風管２を図示しない切替装置にてキャビネット２９内外に送風可能とすることにより高齢者、幼児等が便器使用時にそそうを行い、床面を水洗浄した後に防水パン２１上に残った水分を早期に乾燥させることができ、すぐに再使用可能とすることができる。また、温水洗浄便座１の図示しないリモコン又は機器に備えられた図示しない手元の操作部で制御できるようにすることができることから操作性も良好となる。図中では、温水洗浄便座１の機能を利用した形態を示しているが、特に限定されるものではなく、コンパクトなエアコンのように冷房・暖房・換気・マイナスイオン機能等をもったものであっても何でもよく、臭いに対しても有効に脱臭作用として作用し、効率的にまた意匠性が損なわれなければトイレ室のどこに設置されていても構わない。
【００４４】
また、図中では、空調設備として温水洗浄便座１の送風を空調用送風管２として、キャビネット２９内に配置していたが、更に空調用送風管２を追加してキャビネット外の防水パン２１上の早期に乾燥させたい場所に配置してもよく、流路を切替え可能としてもよい。あるいは、図示しない空調設備からの空調用送風管２がドア２４の入り口下部から排水口１９に向かって送風されるような形態であっても構わない。また、空調用送風管２は、図示しない空調設備本体から引き出し、格納可能な形態であっても構わない。そうすることにより図示しない空調設備本体を固定させておいて空調用送風管２をより効果的な場所に配置することが可能となる。
【００４５】
【実施例２】
上記実施例１と同一又は相当する部分には同一の符号を付し、詳細な説明を省略する。なお、以下の各実施例の説明においても、それ以前に既に説明した実施例と同一又は相当する部分には同一の符号を付し、特に必要でない限り説明を略する。本発明に係わるトイレユニットの一実施例の概略構成図を図２に示す。
【００４６】
図２について説明する。トイレユニット１００は、根太２７と、ドア２４を備えた四方の壁２５に囲まれており、根太２７の上には、支持台とフレームの一体構造部２０が設置されており、この支持台とフレームの一体構造部２０の上に高さ調整部２８が配置され、その高さ調整部２８の上に防水パン２１が固定されている。この防水パン２１には、水が流入する排水口１９が備えられ、その排水口１９の最低レベル部には、排水トラップ１８が設けられている。また、その下流には、防水パン用排水管１７が接続され、更に防水パン２１の下方に設置された排水ヘッダー１５に排水管接続口１６を介して接続されている。排水ヘッダー１５には、図示しない外部への下水管へと導くための排水管１４が接続されている。
【００４７】
また、支持台とフレームの一体構造部２０は、一部キャビネット２９に内包され、前板３を介して温水洗浄便座１を上部に配置した壁掛便器２２が固定されている。キャビネット２９の内部には、給水コンセント１０と、ロータンク４と、給水コンセント１０からロータンク４に接続されるロータンク用給水管８と、ロータンク４から壁掛便器２２に接続される便器用洗浄管２６と、壁掛便器２２から排水ヘッダー１５に接続される便器用排水管１２と、給水コンセント１０には、給水源である図示しない給水本管より給水される給水管９が接続されている。更に、キャビネット２９内には、除湿設備３０が支持台とフレームの一体構造部２０に固定され、その除湿設備３０には、除湿設備３０から排水ヘッダー１５に接続される除湿設備用排水管Ａ又は、除湿設備３０から防水パン２１に排水が直接排出される除湿設備用排水管Ｂのどちらの形態であっても構わない。ここで、除湿設備３０から防水パン２１に直接排出される除湿設備用排水管Ｂを選択した場合には、防水パン２１の床洗浄後の早期乾燥を可能とし、洗浄後の早期再使用が可能となる。
【００４８】
また、キャビネット２９内のロータンク用給水管８、ロータンク４等の結露水を早期に取り除き、キャビネット２９内の腐り、黴の発生を防止することが可能となる。また、除湿設備３０から排水ヘッダー１５に接続される除湿設備用排水管Ａを選択した場合には、除湿設備３０からの排水管を別途建築側に設ける必要がないことから低コスト・省施工性を実現することができ、配管数、接続箇所を抑制することが可能となりメンテナンス性が向上する。また、除湿設備用排水管Ａ、Ｂは、両方を配管しておいて図示しない流路切替部にて除湿設備用排水管Ａ、Ｂを設置条件等により切替えてもよいし、どちらか一方を設置する形態であっても構わない。また、除湿設備は、防水パン２１と一体構造であっても防水パン２１の上方に配置される形態であってもよく、除湿設備３０に備えられた図示しない送風口を除湿設備３０から引き伸ばし、効率良く作用する場所に配置して使用する形態であっても構わない。
【００４９】
【実施例３】
本発明に係わる防水パンの一実施例の拡大図を図３及び図５に示す。図３のＣ−Ｃ線拡大断面図を図４に示す。また、図５のＤ−Ｄ線拡大断面図を図６に示す。また、本発明に係わる防水パンの一実施例の斜視図及び平面図を図７及び図８に示す。
図３では、防水パンの表面には、滑り止め用の凸部５０と、これらの凸部５０の間に連続する流路５１が形成されている。この流路５１は、図示しない排水口に向かうように設定してある。また、滑り止め用の凸部５０の形状は、図３及び図４に示す比較的長尺形状、或いは図５及び図６に示す円形に限らず、どのような形状でもよい。また、防水パン上の少なくとも流路５１の上には、水玉の表面張力を破壊する凹凸形状部５２が重ねて形成されている。この凹凸形状部５２は線状をなし、その方向は凸部５０及び流路５１を横切る方向に形成され、その結果、流路５１の中を流れる水の速度が凹凸形状部５２に邪魔されて抑制され、ゆっくり流れるようになり、流路５１内で水が途切れることがない。
【００５０】
ここで、より詳細に説明する。防水パン表面に水が落下すると凹凸形状部５２によって表面張力が破壊され、図示しない球状の水玉を形成することなく流路５１の中に広がる。そして広がった水は連続して形成されている流路７を流れて図示しない排水口に直接入る。上記凹凸形状部５２は、表面張力を破壊して水が蒸発する表面積を大きくするだけでなく、流路５１内に流れ込んで流れようとする水に対して抵抗になるため、流路５１内の流速が抑制され、流路５１を流れる水が途切れることがない。即ち、流路５１内の排水は、ゆっくりではあるが図示しない排水口まで連続して繋がった状態で確実に排水され、その結果、水が島状に残ることがない。
【００５１】
また、流路５１を水が流れた後に、凹凸形状部５２間に水が残る場合であっても、この場合の残水量は極めて少ないため、短時間のうちに蒸発してしまい、実使用上問題とならない
【００５２】
次に図７及び図８においては、防水パン２１表面の全域に滑り止め兼、表面張力を破壊する目的の凸形状部５２が形成されている。この凸形状部５２は、約５ｍｍ×約１０ｍｍの略長方形で、高さ０．５ｍｍと比較的高く形成されている。また、各々の凸形状部５２の間隔を２ｍｍと非常に接近させることで、隣り合う凸形状部５２の間で形成される流路５１は、その深さと幅をそれぞれ０．５ｍｍと２ｍｍとし、水下側の図示しない排水口に連続させて形成している。このような、細くて深い流路内では水の粘性抵抗が流速抑制効果として顕著に発現され、合わせて細い流路で発生する表面張力の効果とあいまって、効率的に流路５１内の流速を抑制することができる。また、図７に示したように、凸形状部５２を小さくすることで、流路５１によって区画される凸形状部５２の上面に、周囲の流路内５１内に流れ込むことなく独立して残留することのできる水玉の水量を約０．２ＣＣと非常に小さくしているため、万が一、この凸形状部５２の上に水玉が独立して残留しても、平均的な浴室環境下、例えば温度１５．３℃、湿度６６％の環境下おいても、すばやく自然乾燥することからトイレユニット空間においても、より短時間で防水パン表面の乾燥を確実なものにしている。このように、基本形状を長方形とする凸形状部５２は、縦・横、互い違いにずらして配置され、その間に形成される流路５１を細かく方向転換・枝別れさせ、細かい網目状に流路５１を配置することで、流路内の流下抵抗を高めるとともに、水下側に向かって水が流れて行く際に様々な経路を採ることができるようにされている。
【００５３】
また、流路５１の断面形状は、清掃性などを考慮し、略Ｖ字型の流路としているが、このほかにも図示しない略角型、略丸型など、どのような形状であってもよい。また、凸形状部５２の形状や配置も本実施例に記載されている略長方形の他、略円形・略正方形・幾何学模様など、どのような形状をどのように並べても、また異なる形状の組合せでも、それら凸形状部間に形成される流路５１自体の寸法や経路、その他流路内５１内で発生する水の粘性抵抗あるいは表面張力の効果によって、結果として、防水パン上に水を流した際、表面上に形成された水玉が壊され、水玉の姿を消すまでの一時の間、流路５１内に流れ込んだ水を途切れさせずに一時補水出来るような状態にするような流速抑制効果を生むことが出来るものであれば、その配置・形状・経路を問わない。
【図面の簡単な説明】
【図１】本発明に係わるトイレユニットの一実施例の概略構成図を示す。
【図２】本発明に係わるトイレユニットの一実施例の概略構成図を示す。
【図３】本発明に係わる防水パンの一実施例の拡大図を示す。
【図４】本発明の係わる図３のＣ−Ｃ線拡大断面図を示す。
【図５】本発明に係わる防水パンの一実施例の拡大図を示す。
【図６】本発明の係わる図５のＤ−Ｄ線拡大断面図を示す。
【図７】本発明に係わる防水パンの一実施例の斜視図を示す。
【図８】本発明に係わる防水パンの一実施例の平面図を示す。
【図９】従来のトイレユニットの概略図を示す。
【符号の説明】
１…温水洗浄便座、２…空調用送風管、３…前板、
４…ロータンク、５…手洗器、６…手洗器用給水管、
７…手洗器用排水管、８…ロータンク用給水管、９…給水管、
１０…給水コンセント、１１…給水管接続口、１２…便器用排水管、
１３…トイレユニット外の設備器具からの排水管、１４…排水管、
１５…排水ヘッダー、１６…排水管接続口、１７…防水パン用排水管、
１８…排水トラップ、１９…排水口、２０…支持台とフレームの一体構造物部、
２１…防水パン、２２…壁掛便器、２３…床、
２４…ドア、２５…壁、２６…便器用洗浄管、
２７…根太、２８…高さ調整部、２９…キャビネット、
３０…除湿設備、３１…除湿設備用排水管Ａ、３２…除湿設備用排水管Ｂ、
５０…滑り止め用の凸部、５１…流路、５２…表面張力を破壊する凹凸形状部、
１００…トイレユニット
【図１】
2004108033.tif 000003
【図２】
2004108033.tif 000004
【図３】
2004108033.tif 000005
【図４】
2004108033.tif 000006
【図５】
2004108033.tif 000007
【図６】
2004108033.tif 000008
【図７】
2004108033.tif 000009
【図８】
2004108033.tif 000010
【図９】
2004108033.tif 000011